(57)【要約】      （修正有）【課題】中空支柱の中空部に昇降可能に嵌合された昇降支柱を有し、昇降支柱を安定してスムーズに昇降可能としたシステムラックを提案する。【解決手段】上面を最下位の台とした基台４と、該基台に立設され内部が中空に形成された中空支柱６と、該中空支柱の中空部に昇降可能に嵌合された昇降支柱７と、該昇降支柱の上端に水平方向に固着された最上位台１と、前記中空支柱に上下方向適間隔をおいて着脱自在に固着された１枚以上の棚板２と、前記昇降支柱の側面に上下方向適間隔をおいて刻設されたねじ穴１１と、該ねじ穴に対応する位置の前記中空支柱側面に穿設された透孔と、前記昇降支柱の背面側のねじ孔が刻設されている面と前記中空支柱の背面側の透孔が穿設されている面との間に設けられる樹脂板からなるスペーサと、該透孔に挿通され前記ねじ穴のいずれかに選択的に螺着されて前記昇降支柱を前記中空支柱に締結する締結ねじ１５とを備える。【選択図】図３
2008272165.tif 000002
【特許請求の範囲】
【請求項１】
上面を最下位の台とした基台と、該基台に立設され内部が中空に形成された中空支柱と、該中空支柱の中空部に昇降可能に嵌合された昇降支柱と、該昇降支柱の上端に水平方向に固着された最上位台と、前記中空支柱に上下方向適間隔をおいて着脱自在に固着された１枚以上の棚板と、前記昇降支柱の側面に上下方向適間隔をおいて刻設されたねじ穴と、該ねじ穴に対応する位置の前記中空支柱側面に穿設された透孔と、前記昇降支柱の背面側のねじ孔が刻設されている面と前記中空支柱の背面側の透孔が穿設されている面との間に設けられる樹脂板からなるスペーサと、該透孔に挿通され前記ねじ穴のいずれかに選択的に螺着されて前記昇降支柱を前記中空支柱に締結する締結ねじとを備えたことを特徴とするシステムラック。
【請求項２】
請求項１に記載のシステムラックにおいて、前記スペーサにはケーブルホルダーが一体に形成され、前記中空支柱の側面に該ケーブルホルダーを突出させるための開口を有することを特徴とするシステムラック。
【請求項３】
請求項１、又は２に記載のシステムラックにおいて、前記最上位台の平面形状は、略ブーメラン形状とし、且つ端面部の少なくとも２箇所に凹部を設け、搭載される機器のスタンドのベース部分と共に該凹部を通過させるバンド固定を可能としたことを特徴とするシステムラック。
【請求項４】
請求項１乃至３のいずれかに記載のシステムラックにおいて、前記基台の下面にキャスターを取り付けたことを特徴とするシステムラック。
【発明の詳細な説明】
【技術分野】
【０００１】
本発明は、ＶＴＲ、ＤＶＤレコーダー、ＢＳチューナー、ＣＳチューナー、オーディオ装置等のＡＶ機器の収納部と、液晶テレビ等の薄型表示装置を載せる台を有するシステムラックに関する。
【背景技術】
【０００２】
ＶＴＲ、ＤＶＤレコーダー、ＢＳチューナー、ＣＳチューナー、オーディオ装置等のＡＶ機器はテレビなどの表示装置と接続して使われることが多く、表示装置の搭載部とＡＶ機器の収納部を有した各種のシステムラックが市販されており、移動可能にキャスター付きのシステムラックも各種提案されている。薄型表示装置を搭載するラックとして特許文献１などが開示されている。特許文献１においては、上面を最下位の台とした地板と、地板の中央後端位置に立設され内部が中空に形成された中空支柱と、中空支柱の中空部に昇降可能に嵌合された昇降支柱と、昇降支柱の上端に水平方向に固着された天板と、中空支柱の前面部に上下方向適間隔をおいて着脱自在に固着された棚板と、昇降支柱の背面側の側面に上下方向適間隔をおいて刻設されたねじ穴と、ねじ穴に対応する位置の中空支柱の背面側の側面に穿設された透孔と、透孔に挿通されねじ穴のいずれかに選択的螺着されて昇降支柱を中空支柱に締結するビスを備える。
【０００３】
【特許文献１】特開２００６−２１８０５２号公報
【発明の開示】
【発明が解決しようとする課題】
【０００４】
しかしながら、上述した特許文献１の支持構造では、搭載した薄型表示装置の傾き補正を目的に、中空支柱と昇降支柱との隙間を、傾き補正範囲に設定し、強靭な成形部品の支柱キャップで中空支柱のズレまたは変形を押える構造となっているため、高温テスト等にて支柱キャップに徐々に変形が発生し、中空支柱が設定位置から移動してしまうという課題がある。そこで、本発明は、中空支柱内での昇降支柱の昇降動作を安定してスムーズなものとするとともに、薄型表示装置を安定して載置可能にしたシステムラックを提案することを目的とした。
【課題を解決するための手段】
【０００５】
上記課題を解決するために、本発明に係るシステムラックは、上面を最下位の台とした基台と、該基台に立設され内部が中空に形成された中空支柱と、該中空支柱の中空部に昇降可能に嵌合された昇降支柱と、該昇降支柱の上端に水平方向に固着された最上位台と、前記中空支柱に上下方向適間隔をおいて着脱自在に固着された１枚以上の棚板と、前記昇降支柱の側面に上下方向適間隔をおいて刻設されたねじ穴と、該ねじ穴に対応する位置の前記中空支柱側面に穿設された透孔と、前記昇降支柱の背面側のねじ孔が刻設されている面と前記中空支柱の背面側の透孔が穿設されている面との間に設けられる樹脂板からなるスペーサと、該透孔に挿通され前記ねじ穴のいずれかに選択的に螺着されて前記昇降支柱を前記中空支柱に締結する締結ねじとを備えたことを特徴とする。  
【０００６】
また、本発明は、前記スペーサにはケーブルホルダーが一体に形成され、前記中空支柱の側面に該ケーブルホルダーを突出させるための開口を有することを特徴とする。
【０００７】
また、本発明は、前記最上位台の平面形状は、略ブーメラン形状とし、且つ端面部の少なくとも２箇所に凹部を設け、搭載される機器のスタンドのベース部分と共に該凹部を通過させるバンド固定を可能としたことを特徴とする。
【０００８】
また、本発明は、前記システムラックにおいて、前記最上位台の平面形状を、そこへ搭載される機器の底面形状に対応した形状とし、前記基台の下面にキャスターを取り付けることも可能である。
【発明の効果】
【０００９】
以上述べたように本発明によれば、上下端部が船底状に曲面が形成され、中空支柱と昇降支柱の隙間分に相当する厚みを有するスペーサを中空支柱と昇降支柱間に介在させることで、中空支柱内での昇降支柱の昇降を、ガタツキ無く安定して、且つ円滑に行うことが可能になる。さらに、スペーサにケーブルホルダーを一体に形成することで、別体のケーブルホルダーの取付も不要となり、作業性も向上することになる。
【発明を実施するための最良の形態】
【００１０】
以下、図に基づいて本発明の実施形態を説明する。
図１と図２に本発明に係るシステムラックを構成する部品を示す。図１において、１は最上位の台となる天板であり、載せられる液晶テレビ等のスタンドの形状に対応した形状に形成されている。２、３は、天板１の下方に設置される２枚の棚板である。４は基台となる地板であり、基台４の下面（図３参照）には４個のキャスターが取り付けられている。５は断面横長の矩形状をした支柱であり、下部の中空支柱６と上部の昇降支柱７が抜き差し自在に嵌合されている。
【００１１】
図２は支柱部分に挟着されるスペーサを示す図である。図２（ａ）は第一の実施形態におけるスペーサ２６で、ナイロンまたはポリアセタール等の摩擦係数が小さい樹脂板からなり、ビス１５が挿通される孔２７が穿設されるとともに、その孔２７の縁部分が円筒状に突出していて、中空支柱６側の透孔１２にその突出部が嵌合されることで、昇降支柱７の締結時に、スペーサ２６が中空支柱６の空洞部分に落下することを防止している。また、図２（ｂ）は第二の実施形態におけるスペーサ２８で、スペーサ２６の構成に加えケーブルホルダー３０が一体に形成されている。
【００１２】
この中空支柱６の基端部が地板４の中央後端位置に垂直に固着される。昇降支柱７の上端に天板１の中央後端部が固着され、中空支柱６の前側面部に、棚板２，３が高さ位置を調節自在に固着される。８は、中空支柱６の側面に取り付けられるケーブルホルダーであり、横方向に二分されており、組み立てた状態で断面Ｃ字形状となる。９は中空支柱６の基端部の背面に取り付けられるケーブルケースである。通常、これらの部品は、システムラックを購入したユーザーにより、ビスを用いて組み立てられる。
【００１３】
図３は、第一の実施の形態における、図１と図２（ａ）に示された部品を組み立てた途中の状態を示す斜視図であり、図４は図２のＡ−Ａ線断面図である。組み立て手順としては、先ず、支柱５の中空支柱６から昇降支柱７を外し、スペーサ２６を中空支柱６の内側に挿入し、透孔１２と孔２７の位置合せを行って嵌めこみ、取り外した昇降支柱７を再度挿入し、支柱５を組立てる。ここで、スペーサ２６の厚みは、中空支柱６と昇降支柱７の隙間分に相当する厚みを有する。支柱５の上下端に天板１と地板４をビスにより締結し、次いで、中空支柱６の前側面に棚板２、３をビス止めする。この状態が、図３の状態であり、ここへさらに、ケーブルホルダー８とケーブルケース９をビス止めすることにより組み立て完成となる。なお、天板１の高さを調節する機構として、中空支柱６の後側面に４個の透孔１２が穿設され、この透孔１２に調整高さに対応するねじ穴１１が昇降支柱７の中空支柱６内部に挿入される部分の背面側に複数個刻設されている。
【００１４】
図４の断面図が示すように、このスペーサ２６の片面の上下端部は船底状に曲面が形成されているため、中空支柱６内への挿入および昇降支柱７の昇降が円滑に行われる。また、このスペーサ２６を、中空支柱６と昇降支柱７との間に設けたことで、その厚み分、昇降支柱７の位置が中空支柱６の中心部に移動して、昇降支柱７が中空支柱６に対して安定して支持される。また、中空支柱６の上端に被せられている樹脂製のカバー２８の背面側部分も、中空支柱６と昇降支柱７との間にスペーサ２６の分の間隔が形成されることで、中空支柱６の上端の背面側を確実に覆うことが可能となる。
【００１５】
このように、上下端部が船底状に曲面が形成され、中空支柱６と昇降支柱７の隙間分に相当する厚みを有するスペーサ２６を中空支柱６と昇降支柱７間に介在させることで、中空支柱６内での昇降支柱７の昇降を、ガタツキ無く安定して、且つ円滑に行うことが可能になる。
【００１６】
図５は図３のように組み立てられた後、ケーブルケース９を取り付けた後、ケーブルホルダー８を取り付ける状態を示す斜視図であるが、棚板２、３の図示は省略している。ケーブルケース９は上部が開口した箱状に形成されており、中空支柱６の背面下端にビス止めされる。このケーブルケース９内に、余分な長さの電源コードや接続ケーブルが収納される。ケーブルホルダー８は、樹脂製からなり、横方向に二分されており、中空支柱６にビス止めされた状態で、断面Ｃ字形状となる。
【００１７】
ケーブルホルダー８内に電源コードやケーブルを収納することで、前方からのシステムラックの見栄えが損なわれないようにしている。またケーブルホルダー８の縦方向にも棚板２、３位置に対応する近傍にスリットが設けられ、棚板２、３に置かれた機器からのケーブルが最短距離でケーブルホルダー８に導かれる構造としている。
【００１８】
図６は組み立てられたシステムラックの天板１に、液晶テレビＴを載せた状態を背面からみた斜視図である。液晶テレビＴを天板１の上に載せた後、液晶テレビＴの電源コード２１や接続ケーブル２２を、天板１の後端部に貼着したフック２３、２４に係合した後、ケーブルホルダー８の中を這わせてから、長さが余分な場合はその余分な分をケーブルケース９内に収納して、配線作業をする。
【００１９】
このように、システムラックにケーブルホルダー８およびケーブルケース９を備えたことで、コードやケーブルがすっきりと配線できて、正面からの見栄えが良くなる。また、天板１の平面形状を、予め液晶テレビＴのスタンドの底面形状に合わせたブーメラン状の外形にしているため、液晶テレビＴのスタンド部分の外観がすっきりとしている。
【００２０】
また、液晶テレビＴのスタンド部分と天板１の外周にバンドＦが巻回されて、液晶テレビＴが天板１に固定されており、地震時に液晶テレビＴが転倒することを防止している。尚、天板１のバンドＦ通過部分に相当する天板１前後の端面の位置に切り込み等を設けることで、バンドＦ移動のない安定した固定が可能になる。
【００２１】
図７は、上述したシステムラックが組み立てられた後の最終の使用状態を示す側面図である。天板１に、液晶テレビＴが載せられるとともに、棚板２、３や、地板４に、ＡＶ機器Ａ〜Ｃが載せられている。図では、壁Ｗを背にシステムラックが設置されており、地震対策として、昇降支柱７の上端近くと、壁Ｗに設けられたフックとの間にひもＤを掛け渡して、地震発生時に、システムラックが前方へ転倒することを防止している。
【００２２】
図８は、第二の実施の形態における、図１と図２（ｂ）に示された部品を組み立てた途中の状態を示す斜視図である。図８において、支柱部分は中空支柱１６と上部の昇降支柱７が抜き差し自在に嵌合されており、中空支柱１６には透孔３２に加え、ケーブルホルダー３０を突出させるための開口１６ａが２箇所設けられている。
【００２３】
組み立て手順は、中空支柱１６から昇降支柱７を外し、スペーサ２８を中空支柱６の内側に挿入し、ケーブルホルダー３０を開口１６ａから突出させた後、透孔３２と孔２９の位置合せを行って嵌めこみ、取り外した昇降支柱７を再度挿入し、支柱を組立てる。以降の組立手順は、第一の実施の形態と同様である。このように、スペーサ２８にケーブルホルダー３０を一体に形成することで、中空支柱１６内での昇降支柱７の昇降を、ガタツキ無く安定して、且つ円滑に行うと共に、別体のケーブルホルダーの取付も不要となり、作業性も向上することになる。
【００２４】
なお、上述した実施形態のシステムラックでは、棚板が２枚の構成であるが、収納する機器の数や大きさに応じて、任意に着脱することが可能である。また、地板４と棚板２、３の各間は１０５ｍｍに設定され、棚板２、３が２枚の場合はＤＶＤなどの薄型機器２台が載置可能であり、高さの有るオーディオのミニコンポやコンパクトスピーカーなどの場合は棚板２，３を１枚にして地板４上に機器を搭載することに適した寸法設定となっている。また、棚板を３枚以上の構成とすることも可能である。
【産業上の利用可能性】
【００２５】
本発明は、正面からみた画面の前後方向の傾きや左右の高さを調節したい液晶テレビ、ＰＤＰテレビを載せるためのシステムラックに利用可能である他に、パソコンの薄型モニターを搭載するパソコンラック等にも利用可能である。
【図面の簡単な説明】
【００２６】
【図１】本発明に係るシステムラックの構成する部品を示す斜視図である。
【図２】本発明に係るシステムラックの支柱部分に挟着されるスペーサの外観を示す図である。
【図３】図１、図２に示された部品を組み立てた途中の状態を示す斜視図である。
【図４】図３のＡ−Ａ線断面図である。
【図５】図３のシステムラックにケーブルホルダーを取り付ける状態を示す斜視図である。
【図６】システムラックの天板に液晶テレビを載せた状態を背面からみた斜視図である。
【図７】システムラックの使用状態を示す側面図である。
【図８】第二の実施の形態における、図１と図２（ｂ）に示された部品を組み立てた途中の状態を示す斜視図である。
【符号の説明】
【００２７】
１  天板
２、３  棚板
４  地板
５  支柱
６  中空支柱
７  昇降支柱
８  ケーブルホルダー
９  ケーブルケース
１１  ねじ穴
１２  透孔
１５  ビス
２１  電源コード
２２  接続ケーブル
２３、２４  フック
２６  スペーサ
２７  孔
２８  カバー
Ａ〜Ｃ  ＡＶ機器
Ｄ  ひも
Ｆ  バンド
Ｔ  液晶テレビ
Ｗ  壁
【図１】
2008272165.tif 000003
【図２】
2008272165.tif 000004
【図３】
2008272165.tif 000005
【図４】
2008272165.tif 000006
【図５】
2008272165.tif 000007
【図６】
2008272165.tif 000008
【図７】
2008272165.tif 000009
【図８】
2008272165.tif 000010